(57)【要約】【課題】被検体の脳を測定する電極数を必要に応じて増やすことができ、演算可能なモンタージュも拡大できるユーザーの自由度の高い医療測定システムを実現すること。【解決手段】脳磁計と複数の脳波計を用いて同時測定するように構成された医療測定システムであって、  前記脳磁計の制御部から複数の脳波計に測定開始を指示する共通のトリガ信号が入力されるとともに、前記各脳波計のレファレンス電極が共通に接続されたことを特徴とするもの。【選択図】                    図１
2010004982.tif 000002
【特許請求の範囲】
【請求項１】
脳磁計と複数の脳波計を用いて同時測定するように構成された医療測定システムであって、
前記脳磁計の制御部から複数の脳波計に測定開始を指示する共通のトリガ信号が入力されるとともに、前記各脳波計のレファレンス電極が共通に接続されたことを特徴とする医療測定システム。
【請求項２】
前記脳磁計は制御部とデータ収録部と解析部とで構成され、
前記解析部は前記各脳波計の全出力信号を１ファイル化して各脳波計の電極を横断的に組み合わせてモンタージュを行うことを特徴とする請求項１記載の医療測定システム。
【発明の詳細な説明】
【技術分野】
【０００１】
本発明は、医療測定システムに関し、詳しくは、脳機能を測定するシステムの改善に関するものである。
【０００２】
従来から、脳機能の測定にあたり、たとえば特許文献１にも記載されているように、脳波計と脳磁計を用いて同時測定することが提案されている。
【０００３】
【特許文献１】特許２６９４７３７号公報
【０００４】
脳波計（ＥＥＧ：electroencephalogram）は、脳が活動している時にシナプスから出ている小さな電位がたくさん加算された電気信号を頭皮上に設けた複数の電極を介して脳波として測定するものであり、任意の２個の電極間における測定信号の差分がモンタージュとして出力される。また、モンタージュを行う電極の組み合わせ設定がモンタージュパターンとして複数登録されていて、モンタージュパターンを切り替えることによりリモンタージュが行われる。
【０００５】
脳磁計（ＭＥＧ：magnetoencephalograph）は、超伝導センサ技術(ＳＱＵＩＤ磁束計)を用いて脳の神経活動に伴って発生する微弱磁場を頭皮上から非侵襲で計測解析する装置である。
【０００６】
図２は、従来の脳機能を測定するシステムの一例を示す構成図である。図２において、ＭＥＧシステム１０の超伝導センサ１１1〜１１nの出力信号は、ＦＬＬ(Flux Locked Loop)１２に入力されてフィルタ処理や増幅処理が施された後、Ａ／Ｄ変換器１３に入力されてデジタル信号に変換される。Ａ／Ｄ変換器１３で変換されたデジタル信号は、データ保存部１４に格納される。
【０００７】
一方、ＥＥＧシステム２０の電極２１1〜２１nの出力信号はアナログ演算処理部２２に入力され、あらかじめ設定されたそれぞれ２個の電極間における測定信号の差分がモンタージュとして演算される。これらモンタージュの演算結果はＭＥＧシステム１０のＡ／Ｄ変換器１３に入力されてデジタル信号に変換され、データ保存部１４に格納される。
【発明の開示】
【発明が解決しようとする課題】
【０００８】
しかし、このような従来の脳機能を測定するシステムは、１台のＥＥＧシステム２０のみで構成されているので、被検体の脳を測定する電極数が限定されて演算可能なモンタージュも限定されることになり、ユーザーの測定に対する自由度の要求を十分に満たしているとはいえないものであった。
【０００９】
本発明は、このような課題を解決するものであり、その目的は、被検体の脳を測定する電極数を必要に応じて増やすことができ、演算可能なモンタージュも拡大できるユーザーの自由度の高い医療測定システムを実現することにある。
【課題を解決するための手段】
【００１０】
このような課題を達成するために、本発明のうち請求項１記載の発明は、脳磁計と複数の脳波計を用いて同時測定するように構成された医療測定システムであって、
前記脳磁計の制御部から複数の脳波計に測定開始を指示する共通のトリガ信号が入力されるとともに、前記各脳波計のレファレンス電極が共通に接続されたことを特徴とする。
【００１１】
請求項２記載の発明は、請求項１記載の医療測定システムにおいて、
前記脳磁計は制御部とデータ収録部と解析部とで構成され、
前記解析部は前記各脳波計の全出力信号を１ファイル化して各脳波計の電極を横断的に組み合わせてモンタージュを行うことを特徴とする。
【発明の効果】
【００１２】
本発明によれば、被検体の脳を測定する電極数を必要に応じて増やすことにより演算可能なモンタージュを拡大でき、ユーザーの自由度の高い医療測定システムが実現できる。
【発明を実施するための最良の形態】
【００１３】
以下、本発明について、図面を用いて詳細に説明する。図１は本発明の一実施例を示すブロック図である。図１において、ＭＥＧシステムは、ＭＥＧデータ収録部１１０とＭＥＧ制御部１２０およびＭＥＧ解析部１３０で構成されている。そして、ＭＥＧ制御部１２０およびＭＥＧ解析部１３０には、ＭＥＧデータ収録部１１０とともに４台のＥＥＧ２１０〜２４０が接続されている。
【００１４】
ＭＥＧデータ収録部１１０において、超伝導センサ１１１1〜１１１nの出力信号は、ＦＬＬ(Flux Locked Loop)１１２に入力されてフィルタ処理や増幅処理が施された後、Ａ／Ｄ変換器１１３に入力されてデジタル信号に変換される。Ａ／Ｄ変換器１１３で変換されたデジタル信号は、ＭＥＧデータ保存部１１４に格納される。
【００１５】
ＭＥＧ制御部１２０は、収録開始の制御トリガ信号ＳｔｇｒをＭＥＧデータ収録部１１０に入力するとともに、４台のＥＥＧ２１０〜２４０の図示しない外部信号取込みポートにも分岐して入力する。
【００１６】
これら４台のＥＥＧ２１０〜２４０において、それぞれの電極２１１1〜２１１n，２２１1〜２２１n，２３１1〜２３１n，２４１1〜２４１nの出力信号はそれぞれに設けられたＡ／Ｄ変換器２１２，２２２，２３２，２４２に入力されてデジタル信号に変換され、これらＡ／Ｄ変換器２１２，２２２，２３２，２４２で変換されたデジタル信号は、それぞれに設けられたＥＥＧデータ保存部２１３，２２３，２３３，２４３に格納される。これらＥＥＧデータ保存部２１３，２２３，２３３，２４３に格納された各電極の出力信号が変換されたデジタル信号は、ＥＥＧデータファイル作成部２１４，２２４，２３４，２４４でデータファイル化される。
【００１７】
一連の測定終了後、ＭＥＧ解析部１３０のＭＥＧデータファイル作成部１３１は、ＭＥＧデータ保存部１１４に格納されている超伝導センサ１１１1〜１１１nの出力信号が変換されたデジタル信号をデータファイル化する。
【００１８】
また、ＭＥＧ解析部１３０のＥＥＧデータ演算処理部１３２は、ＥＥＧデータファイル作成部２１４，２２４，２３４，２４４で作成されたデータファイルについて、制御トリガ信号に基づきスタート位置をそろえて切出し、一つのＥＥＧ測定ファイルとして電極データファイルを作成する。
【００１９】
そして、これら４台のＥＥＧ２１０〜２４０のリファレンス電極間を共通に接続しておくことにより、４台のＥＥＧ２１０〜２４０間で横断的に任意の電極の組み合わせによるモンタージュが可能となる。
【００２０】
これにより、ユーザーは、被検体ごとに被検体の測定目的に応じて１台のＥＥＧでは実現できない固有のモンタージュパターンを設定して演算を行い、自由度の高いリモンタージュを行うことができる。
【００２１】
なお、上記実施例では、４台のＥＥＧ２１０〜２４０を用いる例を説明したが、ＥＥＧは４台に限るものではなく、システム規模や被検体の測定目的に応じて任意に台数を増減してもよい。
【００２２】
また、上記実施例では、各ＥＥＧは複数の電極の出力信号を共通のＡ／Ｄ変換器でデジタル信号に変換する構成を示しているが、各電極に専用のＡ／Ｄ変換器を設ける構成であってもよい。
【００２３】
以上説明したように、本発明によれば、被検体の脳を測定する電極数を必要に応じて増やすことができ、演算可能なモンタージュも拡大できるユーザーの自由度の高い医療測定システムを実現できる。
【図面の簡単な説明】
【００２４】
【図１】本発明の一実施例を示すブロック図である。
【図２】従来の脳機能を測定するシステムの一例を示す構成図である。
【符号の説明】
【００２５】
１１０  ＭＥＧデータ収録部
１２０  ＭＥＧ制御部
１３０  ＭＥＧ解析部
２１０〜２４０  ＥＥＧ
【図１】
2010004982.tif 000003
【図２】
2010004982.tif 000004